(57)【要約】  本発明の実施例は短距離アド・ホックモード通信に関する技術である。アド・ホックモードはブロードバンド無線標準の下でアド・ホックネットワークにおいて動作する第１の移動局（ＭＳ）に対して構成される。アド・ホックモード通信はブロードバンド無線標準の簡素化された通信プロトコルを有して取得される。第２のＭＳはアド・ホックモード通信を用いて通信される。  【選択図】    図４
2009540630.tif 000002
【特許請求の範囲】
【請求項１】
ブロードバンド無線標準の下でアド・ホックネットワークにおいて動作する第１の移動局（ＭＳ）のアド・ホックモードを構成することと、
前記ブロードバンド無線標準の簡素化された通信プロトコルを有するアド・ホックモード通信を取得することと、
前記アド・ホックモード通信を用いて第２のＭＳと通信することと、
を具備する方法。
【請求項２】
前記構成することは、
ＭＳネーム、動作モード、暗号化キーおよび周波数チャネルのうち少なくとも１つを含むアド・ホックモードパラメータを構成することを具備し、前記動作モードはＭＳモード、サービングＭＳ（ＳＭＳ）モードおよび自動モードのうちの１つである、請求項１に記載の方法。
【請求項３】
前記取得することは、
前記動作モードが前記自動モードまたは前記ＭＳモードである場合、
サーチ期間中にＳＭＳをサーチすることと、
少なくともＳＭＳが発見されると、
前記少なくとも発見されたＳＭＳをディスプレイすることと、
接続すべきＳＭＳをユーザが選択することを許可することと、
前記選択されたＳＭＳと前記アド・ホックモード通信を開始することと、
さもなければ前記動作モードが前記自動モードである場合、
前記動作モードを前記ＳＭＳモードとして設定することと、
利用可能な周波数チャネルをサーチすることと、
前記アド・ホックモード通信をアド・ホックＳＭＳとして開始することと、
前記動作モードが前記ＳＭＳモードである場合、
利用可能な周波数チャネルをサーチすることと、
前記アド・ホックモード通信をアド・ホックＳＭＳとして開始することと、
を具備する、請求項２に記載の方法。
【請求項４】
前記第２のＭＳと通信することは、
初期レンジングおよび周期性レンジングを簡素化することと、
ブロードキャスト管理メッセージを簡素化することと、
ネットワークエントリーを簡素化することと、
帯域幅割り当ておよびスケジューリングを簡素化すること、
のうちの少なくとも１つを具備する、請求項２に記載の方法。
【請求項５】
前記初期レンジングおよび周期性レンジングを簡素化することは、
アップリンク（ＵＬ）物理レイヤ（ＰＨＹ）プロトコルデータユニット（ＰＤＵ）メッセージ間の衝突を避けるために、ＵＬバースト間隔を十分長く割り当てることと、
ＳＭＳによって前記ＵＬ  ＰＨＹ  ＰＤＵを検出およびデコードすることを容易にするために、ＵＬ  ＰＨＹ  ＰＤＵメッセージの長いプレアンブルをプリペンドすること、
のうちの少なくとも１つを具備する、請求項４に記載の方法。
【請求項６】
前記ブロードキャスト管理メッセージを簡素化することは、
単一のダウンリンク（ＤＬ）バーストにＤＬメディアアクセス制御（ＭＡＣ）プロトコルデータユニット（ＰＤＵ）メッセージをパッキングすることによって、ＤＬ  メディアアクセスプロトコル（ＭＡＰ）メッセージを省略することと、
前記アド・ホックネットワークのＭＳの数番と基礎接続ＩＤ（ＣＩＤ）とを用いてアップリンク（ＵＬ）バーストの時間オフセットを計算することによって、ＵＬ  ＭＡＰメッセージを省略することと、
フレーム制御ヘッダ（ＦＣＨ）の変調情報を含めることによってアップリンクチャネルディスクリプタ（ＵＣＤ）メッセージを省略することと、
ＤＬバーストプロファイル、フレーム期間コード、送信／受信移行ギャップ（ＴＴＧ）および受信／送信移行ギャップ（ＲＴＧ）を排除することによってダウンリンクチャネルディスクリプタ（ＤＣＤ）メッセージを簡素化すること、
のうちの少なくとも１つを具備する、請求項４に記載の方法。
【請求項７】
ネットワークエントリーを簡素化することは、
フレーム期間および周期性プレフィックス（ＣＰ）インデックスの固定された既定値を使用することと、
初期レンジング応答メッセージの電力、タイミングおよび周波数オフセット情報を排除することと、
前記アド・ホックネットワークのＭＳを特定するために基礎接続ＩＤ（ＣＩＤ）を含めることと、
自動繰り返し要求（ＡＲＱ）モード、断片化モードおよびパッキングモードの固定された既定値を用いることによって基礎容量交渉をスキップすることと、
ＳＳ認証および登録をスキップすることと、
前記ブロードバンド無線標準に定義されている、インターネットプロトコル（ＩＰ）接続性を確立すること、時刻を確立すること、および動作パラメータを送信することのうちの少なくとも１つを含むオプションプロセスをスキップすることと、
基礎ＣＩＤによって特定された単一の接続を確立すること、
のうち少なくとも１つを具備する、請求項４に記載の方法。
【請求項８】
前記帯域幅割り当ておよびスケジューリングを簡素化することは、
既定値によってアンソリシテッドグラントサービス（ＵＧＳ）への接続のスケジューリングタイプを設定することのうちの少なくとも１つを具備する、請求項４に記載の方法。
【請求項９】
前記ブロードバンド無線標準は米電気電子学会（ＩＥＥＥ）８０２．１６標準である、請求項１に記載の方法。
【請求項１０】
ブロードバンド無線標準の下でアド・ホックネットワークにおいて動作する第１の移動局（ＭＳ）のアド・ホックモードを構成する構成モジュールと、
前記ブロードバンド無線標準の簡素化された通信プロトコルを有するアド・ホックモード通信を取得するために前記構成モジュールに結合された取得モジュールと、
前記アド・ホックモード通信を用いて第２のＭＳと通信するために前記取得モジュールと結合された通信モジュールと、
を具備する装置。
【請求項１１】
前記構成モジュールは、ＭＳネーム、動作モード、暗号化キーおよび周波数チャネルのうち少なくとも１つを含むアド・ホックモードパラメータを構成し、前記動作モードはＭＳモード、サービングＭＳ（ＳＭＳ）モードおよび自動モードのうち１つである、請求項１０に記載の装置。
【請求項１２】
前記取得モジュールは、
前記動作モードが前記自動モードまたは前記ＭＳモードである場合、
サーチ期間中にＳＭＳをサーチすることと、
少なくともＳＭＳが発見される場合、
前記少なくとも発見されたＳＭＳをディスプレイすることと、
接続すべきＳＭＳをユーザに選択させることと、
前記選択されたＳＭＳと前記アド・ホックモード通信を開始することと、
さもなければ、前記動作モードが前記自動モードである場合、
前記動作モードを前記ＳＭＳモードとして設定することと、
利用可能な周波数チャネルをサーチすることと、
前記アド・ホックモード通信をアド・ホックＳＭＳとして開始することと、
前記動作モードが前記ＳＭＳモードである場合、
利用可能な周波数チャネルをサーチすることと、
前記アド・ホックモード通信をアド・ホックＳＭＳとして開始することと、
を具備する動作を実行する、請求項１１に記載の装置。
【請求項１３】
前記通信モジュールは、
初期レンジングおよび周期性レンジングを簡素化することと、
ブロードキャスト管理メッセージを簡素化することと、
ネットワーク登録を簡素化することと、
帯域幅割り当ておよびスケジューリングを簡素化すること、
のうちの少なくとも１つを実行することによって前記第２のＭＳと通信する、請求項１１に記載の装置。
【請求項１４】
前記通信モジュールは、
アップリンク（ＵＬ）物理レイヤ（ＰＨＹ）プロトコルデータユニット（ＰＤＵ）メッセージ間の衝突を回避するためにＵＬバースト間隔を十分長く割り当てることと、
ＳＭＳによって前記ＵＬ  ＰＨＹ  ＰＤＵを検出およびデコードすることを容易にするためにＵＬ  ＰＨＹ  ＰＤＵメッセージの長いプレアンブルをプリペンドすること、
のうちの少なくとも１つを実行することによって、初期レンジングおよび周期性レンジングを簡素化することを実行する、請求項１３に記載の装置。
【請求項１５】
前記通信モジュールは、
単一のダウンリンク（ＤＬ）バーストにＤＬメディアアクセス制御（ＭＡＣ）プロトコルデータユニット（ＰＤＵ）メッセージをパッキングすることによってＤＬ  メディアアクセスプロトコル（ＭＡＰ）メッセージを省略することと、
前記アド・ホックネットワークのＭＳ数番と基礎接続ＩＤ（ＣＩＤ）とを用いてＵＬバーストの時間オフセットを計算することによりアップリンク（ＵＬ）ＭＡＰメッセージを省略することと、
フレーム制御ヘッダ（ＦＣＨ）の変調情報を含めることによってアップリンクチャネルディスクリプタ（ＵＣＤ）メッセージを省略することと、
ＤＬバーストプロファイル、フレーム期間コード、送信／受信移行ギャップ（ＴＴＧ）および受信／送信移行ギャップ（ＲＴＧ）を排除することによってダウンリンクチャネルディスクリプタ（ＤＣＤ）メッセージを簡素化すること、
のうちの少なくとも１つを実行することによって、ブロードキャスト管理メッセージを簡素化することを実行する、請求項１４に記載の装置。
【請求項１６】
前記通信モジュールは、
フレーム期間および周期性プレフィックス（ＣＰ）インデックスの固定された既定値を使用することと、
初期レンジング応答メッセージの電力、タイミングおよび周波数オフセット情報を排除することと、
前記アド・ホックネットワークのＭＳを特定するために基礎接続ＩＤ（ＣＩＤ）を含めることと、
自動繰り返し要求（ＡＲＱ）モード、断片化モードおよびパッキングモードの固定された既定値を用いることによって基礎容量交渉をスキップすることと、
ＳＳ認証および登録をスキップすることと、
前記ブロードバンド無線標準に定義されている、インターネットプロトコル（ＩＰ）接続性を確立すること、時刻を確立することおよび動作パラメータを送信することのうち少なくとも１つを含むオプションプロセスをスキップすることと、
基礎ＣＩＤによって特定された単一の接続を確立すること、
のうちの少なくとも１つを実行することによってネットワークエントリーを簡素化することを実行する、請求項１３に記載の装置。
【請求項１７】
前記通信モジュールは、
既定値によってアンソリシテッドグラントサービス（ＵＧＳ）への接続のスケジューリングタイプを設定することのうちの少なくとも１つを実行することによって、帯域幅割り当ておよびスケジューリングを簡素化することを実行する、請求項１３に記載の装置。
【請求項１８】
前記ブロードバンド無線標準は、米電気電子学会（ＩＥＥＥ）８０２．１６標準である、請求項１０に記載の装置。
【請求項１９】
アンテナと、
アド・ホックネットワークにおいて無線周波数（ＲＦ）信号を送信および受信するために前記アンテナに結合されたＲＦトランシーバと、
前記ＲＦ信号を処理するために前記ＲＦトランシーバに結合された物理レイヤプロセッサ（ＰＨＹ）と、
他の移動局（ＭＳ）とのアド・ホックモード通信を実行するために前記ＰＨＹに結合されたアド・ホック通信処理ユニットと、
を具備し、
前記アド・ホック通信処理ユニットは、
ブロードバンド無線標準の下でアド・ホックネットワークにおいて動作する第１の移動局（ＭＳ）のアド・ホックモードを構成する構成モジュールと、
前記ブロードバンド無線標準の簡素化された通信プロトコルを有するアド・ホックモード通信を取得するために前記構成モジュールに結合された取得モジュールと、
前記アド・ホックモード通信を用いて前記他のＭＳと通信するために前記取得モジュールと結合された通信モジュールとを具備する、システム。
【請求項２０】
前記構成モジュールは、ＭＳネーム、動作モード、暗号化キーおよび周波数チャネルのうちの少なくとも１つを含むアド・ホックモードパラメータを構成し、前記動作モードはＭＳモード、サービングＭＳ（ＳＭＳ）モードおよび自動モードのうちの１つである、請求項１９に記載のシステム。
【請求項２１】
前記取得モジュールは、
前記動作モードが前記自動モードまたは前記ＭＳモードである場合、
サーチ期間中にＳＭＳをサーチすることと、
少なくともＳＭＳが発見される場合、
前記少なくとも発見されたＳＭＳをディスプレイすることと、
接続すべきＳＭＳをユーザに選択させることと、
前記選択されたＳＭＳと前記アド・ホックモード通信を開始することと、
さもなければ、前記動作モードが前記自動モードである場合、
前記動作モードを前記ＳＭＳモードと設定することと、
利用可能な周波数チャネルをサーチすることと、
前記アド・ホックモード通信をアド・ホックＳＭＳとして開始することと、
前記動作モードが前記ＳＭＳモードである場合、
利用可能な周波数チャネルをサーチすることと、
前記アド・ホックモード通信をアド・ホックＳＭＳとして開始することと、
を具備する動作を実行する、請求項２０に記載のシステム。
【請求項２２】
前記通信モジュールは、
初期レンジングおよび周期性レンジングを簡素化することと、
ブロードキャスト管理メッセージを簡素化することと、
ネットワーク登録を簡素化することと、
帯域幅割り当ておよびスケジューリングを簡素化すること、
のうちの少なくとも１つを実行することによって前記他のＭＳと通信する、請求項２０に記載のシステム。
【請求項２３】
前記ブロードバンド無線標準は米電気電子学会（ＩＥＥＥ）８０２．１６標準である、請求項１９に記載のシステム。
【請求項２４】
機械アクセス可能な格納媒体を有する製造物であって、
前記格納媒体は、前記機械によってアクセスされると、前記機械に、
ブロードバンド無線標準の下でアド・ホックネットワークにおいて動作する第１の移動局（ＭＳ）のアド・ホックモードを構成することと、
前記ブロードバンド無線標準の簡素化された通信プロトコルを有するアド・ホックモード通信を取得することと、
前記アド・ホックモード通信を用いて第２のＭＳと通信することと、
を具備する動作を実行させる情報を含む、製造物。
【請求項２５】
前記構成することを前記機械に実行させる情報は、前記機械によってアクセスされると、前記機械に、
ＭＳネーム、動作モード、暗号化キーおよび周波数チャネルのうちの少なくとも１つを含むアド・ホックモードパラメータを構成する動作を実行させる情報を具備し、
前記動作モードは、ＭＳモード、サービングＭＳ（ＳＭＳ）モードおよび自動モードのうちの１つである、請求項２４に記載の製造物。
【請求項２６】
前記取得することを前記機械に実行させる情報は、前記機械によってアクセスされると、前記機械に、
前記動作モードが前記自動モードまたは前記ＭＳモードである場合、
サーチ期間中にＳＭＳをサーチすることと、
少なくともＳＭＳが発見されると、
前記少なくとも発見されたＳＭＳをディスプレイすることと、
接続すべきＳＭＳをユーザに選択させることと、
前記選択されたＳＭＳと前記アド・ホックモード通信を開始することと、
さもなければ前記動作モードが前記自動モードである場合、
前記動作モードを前記ＳＭＳモードと設定することと、
利用可能な周波数チャネルをサーチすることと、
前記アド・ホックモード通信をアド・ホックＳＭＳとして開始することと、
前記動作モードが前記ＳＭＳモードである場合、
利用可能な周波数チャネルをサーチすることと、
前記アド・ホックモード通信をアド・ホックＳＭＳとして開始することと、
を具備する動作を実行させる情報を具備する、請求項２５に記載の製造物。
【請求項２７】
前記第２のＭＳと通信することを前記機械に実行させる前記情報は、前記機械によってアクセスされると、前記機械に、
初期レンジングおよび周期性レンジングを簡素化することと、
ブロードキャスト管理メッセージを簡素化することと、
ネットワークエントリーを簡素化することと、
帯域幅割り当ておよびスケジューリングを簡素化することと、
を具備する動作のうち少なくとも１つを実行させる情報を具備する、請求項２５に記載の製造物。
【発明の詳細な説明】
【関連出願】
【０００１】
本願は、「短距離アド・ホックデータ通信のためのＩＥＥＥ８０１．１６ベース無線加入者局」と題する２００６年６月２日付け仮出願（願番６０／８１０，３３０）の利益を主張する。
【技術分野】
【０００２】
本発明の実施例は一般的には無線通信システムに関する。より具体的には、本発明の実施例は無線アド・ホックデータ通信に関する。
【背景技術】
【０００３】
米国電気電子学会（ＩＥＥＥ）８０２．１６標準は、特に大都市圏ネットワーク（ＷＡＮ）あるいは広域ネットワーク（ＷＡＮ）の固定および移動ブロードバンド無線接続システムのエアインターフェースを記載する。ワイファイ(Wireless Fidelity)（Ｗｉ−Ｆｉ）として知られるＩＥＥＥ８０２．１１およびＢｌｕｅｔｏｏｔｈ（登録商標）として知られるＩＥＥＥ８０２．１５のような、無線パーソナルエリアネットワーク（ＰＡＮ）および無線ローカルエリアネットワーク（ＬＡＮ）に関して異なる標準が存在する。ＢｌｕｅｔｏｏｔｈとＷｉ−Ｆｉの双方は、ユーザ端末がアクセスポイントなしで直接的に他のユーザ端末に接続することができるように、アド・ホックのネットワークプロトコルを含む。ＩＥＥＥ８０２．１６加入者局（ＳＳ）はメッシュモードを使用するＳＳ間で直接通信する。しかしプロトコルはとても複雑なため、マイクロ波アクセス（ＷｉＭＡＸ）や無線ブロードバンド（ＷｉＢｒｏ）の世界的相互運用性のような工業標準はメッシュモードを採用してこなかった。
【０００４】
ＳＳがアクセスポイントから短距離（例えば３００フィート）以上離れている場合、Ｂｌｕｅｔｏｏｔｈ  およびＷｉＦｉ装置の双方は一般的に通信することができない。ＩＥＥＥ８０２．１６プロトコルは数十マイルをカバーするように設計されている。従ってＩＥＥＥ８０２．１６装置は理論的にはＢｌｕｅｔｏｏｔｈ  およびＷｉ−Ｆｉ装置の代用となり得るが、その反対はない。
【図面の簡単な説明】
【０００５】
【図１】図１は、本発明の実施例によるシステムを図示するダイアグラム。
【図２】図２は、本発明の一実施例による移動局を図示するダイアグラム。
【図３】図３は、本発明の一実施例によるアド・ホック通信モジュールを図示するダイアグラム。
【図４】図４は、本発明の一実施例によるアド・ホック通信を実行するためのプロセスを図示するフローチャート。
【図５】図５は、本発明の一実施例によるアド・ホックモードを構成するためのプロセスを図示するフローチャート。
【図６】図６は、本発明の一実施例によるアド・ホックモード通信を取得するためのプロセスを図示するフローチャート。
【図７】図７は、本発明の一実施例による簡素化されたフレーム構成を図示するダイアグラムである。
【図８Ａ】図８Ａは、本発明の一実施例による他のＭＳと通信するためのプロセスを図示するフローチャートである。
【図８Ｂ】図８Ｂは、本発明の一実施例によるレンジングを簡素化するためのプロセスを図示するフローチャートである。
【図８Ｃ】図８Ｃは、本発明の一実施例によるブロードキャスト管理メッセージを簡素化するためのプロセスを図示するフローチャートである。
【図８Ｄ】図８Ｄは、本発明の一実施例によるネットワーク登録を簡素化するためのプロセスを図示するフローチャートである。
【図８Ｅ】図８Ｅは、本発明の一実施例による帯域幅割り当ておよびスケジューリングを簡素化するためのプロセスを図示するフローチャートである。
【発明の説明】
【０００６】
本発明の実施例は短距離アド・ホックモード通信の技術である。アド・ホックモードはブロードバンド無線標準の下のアド・ホックネットワークにおいて動作する第１の移動局（ＭＳ）に対して構成される。アド・ホックモード通信はブロードバンド無線標準の簡素化された通信プロトコルを有して取得される。第２のＭＳはアド・ホックモード通信を用いて通信される。
【０００７】
以下の記述において、多くの特定な詳細が記載される。しかし発明の実施例はこれらの特定な詳細なしで実施されることを理解されたい。他の例において周知の回路、構成および技術は、当該記述の理解を不明瞭にすることを避けるために示されていない。
【０００８】
本発明の一実施例はフローチャート、フローダイアグラム、構成ダイアグラムまたはブロックダイアグラムとして通常描かれるプロセスとして記載される。フローチャートは連続したプロセスとしての動作を記載するが、動作の多くは並列にあるいは同時に実施されることができる。加えて、動作の順番は並び替えられてもよい。プロセスはその動作が完了すると終了する。プロセスは製造または製作の方法、プログラム、手順などに対応する。
【０００９】
本発明の実施例はブロードバンド無線標準を用いたアド・ホックネットワークにおいて移動局のアド・ホックモード通信を提供するための技術を含む。アド・ホックネットワークは互いに接近して位置する固定または移動加入者局（ＳＳ）を含む。短距離アド・ホックネットワークは基地局（ＢＳ）を有さない。代りにサーバ移動局（ＳＭＳ）を有する。ＳＭＳは連続的な固定時間期間フレームを含む無線チャネルを開く。これらのフレームはフレーム制御ヘッダ（ＦＣＨ）を伴う長いプレアンブルで開始される。ＦＣＨのそれぞれは、隣り合うＳＳがＢＳによって形成されるインフラネットワーク(infrastructure network)とアド・ホックネットワークとを区別できるようにアド・ホックネットワークを代表するマークすなわち識別子を含む。
【００１０】
アド・ホックネットワークにおけるＳＳはブロードバンド無線標準の簡素化された通信プロトコルを用いてアド・ホックモード通信を実行することにより、ＢＳに比較してかなり単純化される。簡素化された通信プロトコルに従うことにより、ＳＭＳはＢＳよりかなり少ない複雑度を有して設計され、装置コストと開発時間および人材開発の低減という結果をもたらす。ブロードバンド無線標準はＩＥＥＥ８０２．１６でもよい。アド・ホックネットワークのＳＭＳまたはＭＳはまた、ＷｉＭＡＸおよび／またはＷｉＢｒｏ規格と互換性がある。
【００１１】
簡素化された通信プロトコルは初期レンジング(initial ranging)および周期性レンジング(periodic ranging)、ダウンリンクブロードキャスト管理メッセージ、ネットワークエントリー手続き(network entry procedures)および帯域幅割り当ておよびスケジューリングの簡素化を含む。本発明の実施例は以下の記載および、発明の実施例を図示するために使用される付随の図面を参照することにより最適に理解される。
【００１２】
図１は本発明の実施例によるシステム１００を図示するダイアグラムである。システム１００は基地局１１０、ネットワーク１１５、Ｎ個の移動局１３０１から１３０Ｎおよびアド・ホックネットワーク１４０を含む。
【００１３】
基地局（ＢＳ）１１０はネットワーク通信のハブとして役割を果たす無線周波数（ＲＦ）受信機および送信機ユニットまたはシステムである。それは、高能力アンテナを含む送信局１２０を介してＲＦ信号を受信および送信する。それはネットワーク１１５への有線あるいは無線接続を有する。ネットワーク１１５はインターネット、イントラネット、ＬＡＮ、ＷＡＮ、ＰＡＮなどのような任意のネットワークである。
【００１４】
Ｎ個の移動局１３０１から１３０Ｎは携帯電話、個人用携帯型情報端末（ＰＤＡ）、ノート型コンピュータ、ラップトップコンピュータ、手持ち式コンピュータなどのような無線接続性を有する任意の移動装置である。移動局１３０ｊがＢＳ１１０に登録されると、ネットワーク１１５に接続される。ＢＳ１１０は、衝突なしでＢＳがダウンリンク（ＤＬ）データを送信し、ＭＳがアップリンク（ＵＬ）データを送信することができるように、時間および周波数のような無線リソースを割り当てる。
【００１５】
アド・ホックネットワーク１４０は通信サービスを提供するためのインフラを要求しないネットワークである。アド・ホックネットワーク１４０はＮ個の移動局（ＭＳ）１５０１から１５０Ｎを含む。Ｎ個の移動局１５０１から１５０Ｎは典型的には短距離内に位置する。それらが互いに近づくとすぐにそれらは互いに検知して編成を始める。アド・ホックネットワーク１４０は、データパケットをＮ個の移動局１５０１から１５０Ｎの任意の１つと交換するサービス中のＭＳ（ＳＭＳ）１５５を含む。ＳＭＳは更にＮ個の移動局１５０１から１５０ＮがＳＭＳ１５５を介して互いに通信することができるように橋渡し機能を有する。ＳＭＳ１５５はアド・ホックネットワーク１４０においてＳＭＳとしての役割を果たすために手動でまたは自動で設定されるＭＳである。
【００１６】
アド・ホックネットワーク１４０の全てのＭＳはブロードバンド無線標準において動作する。一つの実施例において、ブロードバンド無線標準はＩＥＥＥ８０２．１６標準である。アド・ホックネットワーク１４０の全てのＭＳはまたＷｉＭＡＸおよび／または移動ＷｉＭＡＸおよび／またはＷｉＢｒｏ仕様に記載された全必須機能を有する。アド・ホックネットワーク１４０におけるＭＳのうち任意の１つはＳＭＳになる。ブロードバンド無線標準（たとえばＩＥＥＥ８０２．１６）の簡素化された通信プロトコルを使用することにより、アド・ホック通信に関わる、ＳＭＳを含むＭＳは、設計および複雑性を簡素化され、低コスト、高信頼性、効果的な通信およびユーザへの利便性という結果をもたらす。
【００１７】
図２は本発明の一実施例による図１に示された移動局１５０ｊ／１５５を説明するダイアグラムである。ＭＳ１５０ｊ／１５５はアンテナ２１０とＲＦトランシーバ２２０と物理的レイヤ（ＰＨＹ）２３０とメディアアクセス制御（ＭＡＣ）プロセッサ２４０とプロセッサ２５０とメモリ２６０と集合格納装置２７０と入力／出力（Ｉ／Ｏ）装置２８０とを含む。移動局１５０ｊ／１５５は上記構成要素より多くを含むことができ、またはそれより少なくてもよいことを注記する。移動局１５０ｊ／１５５はアド・ホックネットワーク１４０における、ＳＭＳを含むＭＳのいずれかを代表する。
【００１８】
アンテナ２１０は無線移動装置用に設計されたアンテナである。それはアド・ホックネットワーク１４０において無線通信に適切な周波数範囲において動作する。それはＮＤＬＯＳ(non-direct line of sight)を有する。一つの実施例において周波数範囲は２．５ＧＨｚから３．５ＧＨｚであり、ＩＥＥＥ８０２．１６および８０２．２０標準と互換性がある。ＲＦトランシーバ２２０は、デジタルデータをアナログベースバンド信号に変換してその後ＲＦ信号に変換し、またＲＦ信号をアナログベースバンド信号に変換してその後デジタルデータに変換するための、フィルタ、変調機、復調機などのような受信機および送信機の機能性を含むユニットである。
【００１９】
ＰＨＹ２３０は物理レイヤ信号処理機能を実行する。一つの実施例において信号処理機能はＩＥＥＥ８０２．１６標準において使用される直交周波数分割多重（ＯＦＤＭ）技術に基づく。それらの機能は、送信機経路のチャネル符号化、逆高速フーリエ変換（ＩＦＦＴ）、および受信機経路の同期化、高速フーリエ変換（ＦＦＴ）、均等化、およびチャネル復号を含む。それは専門のプロセッサ、特定用途向けＩＣ（ＡＳＩＣ）、プログラム可能なフィールドゲートアレイ（ＦＰＧＡ）、デジタル信号プロセッサ（ＤＳＰ）、あるいは要求された物理レイヤ信号処理機能を実行する任意の他の装置でもよい。
【００２０】
ＭＡＣプロセッサ２４０は、ネットワーク登録、ＤＬ同期化、初期レンジング、登録、ＩＰ接続性、プロトコルデータユニット（ＰＤＵ）生成、スケジューリングなどのようなＭＡＣ機能を実行する。それはプログラム可能なＤＳＰ、ＡＳＩＣあるいは任意の他の適切なプロセッサでもよい。
【００２１】
プロセッサ２５０は、ハイパースレッディング(hyper threading)、セキュリティ、ネットワーク、デジタルメディア技術を使用するプロセッサ、単一コアプロセッサ、マルチコアプロセッサ、格納されたプロセッサ、移動プロセッサ、マイクロ制御装置、デジタル信号プロセッサ、スーパースカラーコンピュータ、ベクトルプロセッサ、単一命令複数データ（ＳＩＭＤ）コンピュータ、複雑命令セットコンピュータ（ＣＩＳＣ）、縮小命令セットコンピュータ（ＲＩＳＣ）、超長命令語（ＶＬＩＷ）あるいはハイブリッドアーキテクチャのような任意のタイプのアーキテクチャの中央処理装置である。
【００２２】
メモリ２６０はシステムコードおよびデータを格納する。メモリ２６０は典型的にはダイナミックランダムアクセスメモリ（ＤＲＡＭ）、スタティックランダムアクセスメモリ（ＳＲＡＭ）、またはリフレッシュされる必要がないメモリを含む任意の他のタイプのメモリと共に実施される。メモリ２６０はＤＲＡＭのようなメモリ装置の複数のチャネルを含む。メモリ２６０はアド・ホック通信モジュール２６５を含む。アド・ホック通信モジュール２６５はアド・ホックネットワーク１４０（図１）のアド・ホック通信を実行するためのプログラム命令とデータとを含む。アド・ホック通信モジュール２６５の機能は全体的にあるいは部分的にＭＡＣプロセッサ２４０によって実行されることを注記する。従ってアド・ホック通信処理ユニットはアド・ホック通信モジュール２６５、ＭＡＣプロセッサ２４０、アド・ホック通信モジュール２６５とＭＡＣプロセッサ２４０との組み合わせ、専用プロセッサ、特別にプログラムされたプロセッサ、または下記アド・ホック通信動作を実行する任意の処理ユニットのうちいずれか１つを含む。加えて、アド・ホック通信処理ユニットはハードウエア、ソフトウエア／ファームウエア、またはハードウエア、ソフトウエアおよびファームウエアの任意の組み合わせによって全体的または部分的に実施される。
【００２３】
インターコネクトすなわちバス２５５は周辺機器へのインターフェースを提供する。インターコネクト２５５はポイント・ツー・ポイントまたは複数の装置へ接続される。分かりやすくするために全てのインターコネクトが示されるわけではない。インターコネクト２５５は周辺部品インターコネクト（ＰＣＩ）、ＰＣＩエクスプレス、ユニバーサルシリアルバス（ＵＳＢ）、スモールコンピュータシステムインターフェース（ＳＣＳＩ）、シリアルＳＣＳＩおよびダイレクトメディアインターフェース（ＤＭＩ）などのような任意のインターコネクトまたはバスを含むことを意図する。
【００２４】
集合格納装置２７０はコード、プログラム、ファイル、データおよびアプリケーションのようなアーカイブ情報を格納する。集合格納装置はフラッシュ半導体メモリ、コンパクトディスク（ＣＤ）、読み出し専用メモリ（ＲＯＭ）、デジタル汎用ディスク（ＤＶＤ）、その他の磁気または光学格納装置を含む。集合格納装置は機械接続可能な媒体を読み出す機構を提供する。
【００２５】
Ｉ／Ｏ装置２８０はＩ／Ｏ機能を実行するための任意のＩ／Ｏ装置を含む。Ｉ／Ｏ装置はディスプレイ２８２とユーザインターフェースの入力エントリー装置２８４（例えばキーボード、マウス）とのインターフェースとなる。
【００２６】
図３は本発明の一実施例によるアド・ホック通信モジュール２６５を図示するダイアグラムである。アド・ホック通信モジュール２６５は構成モジュール３１０、取得モジュール３４０および通信モジュール３５０を含む。アド・ホック通信モジュール２６５は上記構成要素より多くまたは少なく含むことができることを注記する。さらに上記構成要素のいずれかはハードウエア回路、ソフトウエア／ファームウエアモジュールまたはハードウエア、ソフトウエアおよびファームウエアの任意の組み合わせによって実施される。
【００２７】
構成モジュール３１０はブロードバンド無線標準の下でアド・ホックネットワークにおいて動作する第１の移動局（ＭＳ）のアド・ホックモードを構成する。一つの実施例において、ブロードバンド無線標準はＩＥＥＥ８０２．１６である。構成モジュール３１０はアド・ホックモードパラメータ３２０を構成する。これらのパラメータはＭＳネーム３２２、動作モード３２４、暗号化キー３２６および周波数チャネル３２８を含む。動作モード３２４はＭＳモード３３２、ＳＭＳモード３３４および自動モード３３６を含む。ＭＳネーム３２２はＭＳユニットのネームとして使用され、アド・ホックネットワーク１４０においてＳＭＳによってディスプレイされる。
【００２８】
取得モジュール３４０はブロードバンド無線標準の簡素化された通信プロトコルを有するアド・ホックモード通信を取得する。取得モード３４０はアド・ホック通信の初期フェーズ中にＳＭＳをサーチする。取得モジュール３４０はサーチ期間を設定するためにタイマー３４５を使用する。タイマー３４５は所定の時間間隔によって初期化される。タイマーが時間切れになると、サーチ期間が完了されることを指摘する。タイマー３４５はその後、要求があれば次のサーチ期間のために再初期化される。
【００２９】
通信モジュール３５０はアド・ホックモード通信を用いて少なくとももう１つのＭＳと通信する。通信モジュール３５０は、無線標準（例えばＩＥＥＥ８０２．１６）の通信プロトコルを単純化する多くの動作、アクションまたはタスクを実行することによって簡素化された通信プロトコルを使用する。
【００３０】
図４は本発明の一実施例によるアド・ホック通信を実行するためのプロセス４００を図示するフローチャートである。プロセス４００はアド・ホックネットワーク１４０（図１）におけるＭＳのうち任意の１つによって実行される。
【００３１】
開始すると、プロセス４００はブロードバンド無線標準の下でアド・ホックネットワークにおいて動作する第１の移動局（ＭＳ）のアド・ホックモードを構成する（ブロック４１０）。第１のＭＳはプロセス４００を実行するＭＳである。その後プロセス４００はブロードバンド無線標準の簡素化された通信プロトコルを有するアド・ホックモード通信を取得する（ブロック４２０）。次にプロセス４００はアド・ホックモード通信を用いて第２のＭＳと通信する（ブロック４３０）。プロセス４００はその後、終了する。
【００３２】
図５は本発明の一実施例によるアド・ホックモードを構成するための、図４に図示されるプロセス４１０を説明するフローチャートである。
【００３３】
開始すると、プロセス４１０はアド・ホックモードパラメータを構成する（ブロック５１０）。アド・ホックモードパラメータはアド・ホック通信に使用されるパラメータを含む。これらのパラメータはＭＳネーム、動作モード、暗号化キーおよび周波数チャネルを含む。ＭＳネームはＭＳユニットに割り当てられるユーザに使いやすいネームであり、ユーザにディスプレイするためにアド・ホックネットワーク１４０においてＳＭＳによって使用される。動作モードは手動モードまたは自動モードである。手動モードはユーザがアド・ホックネットワークにおいてＭＳのモードをＭＳまたはＳＭＳに設定することを可能する。自動モードは初めにＳＭＳを自動的にサーチする。サーチ期間中にＳＭＳが見つからない場合、装置はそれ自身をＳＭＳに設定する。サーチ期間中に少なくともＳＭＳが見つかると、装置はユーザがＳＭＳを選択することを可能にする。プロセス５１０はその後終了する。
【００３４】
図６は本発明の一実施例によるアド・ホックモード通信を取得するための、図４に図示されるプロセス４２０を説明するフローチャートである。
【００３５】
開始すると、プロセス４２０は動作モードを決定する（ブロック６１０）。動作モードは手動モードおよび自動モードのうちいずれか１つである。手動モードは動作モードがユーザまたは既定値のいずれかによって手動で設定されるモードである。動作モードはＭＳモード、ＳＭＳモードまたは自動モードである。
【００３６】
動作モードがＭＳの場合、プロセス４２０はサーチ期間中に１つ以上のＳＭＳをサーチする（ブロック６２５）。サーチ期間は既定値によって設定される。次にプロセス４２０はＳＭＳが発見されるかを決定する（ブロック６３０）。発見される場合、プロセス４２０はユーザが選択できるようにディスプレイに全ての見つかったＳＭＳをディスプレイする（ブロック６３５）。そうでない場合、プロセス４２０はブロック６４０に進む。ブロック６４０において、プロセス４２０はユーザ選択を決定する。ユーザが次のサーチを選択する場合、プロセス４２０はもう１つのＳＭＳを引き続きサーチするためにブロック６２５に戻る。ユーザが終了を選択する場合、プロセスは終了する。ユーザがＳＭＳを選択する場合、プロセス４２０はブロック６６０に進む。
【００３７】
動作モードがＳＭＳである場合、プロセス４２０は利用可能なまたは空きの周波数チャネルをサーチする（ブロック６７０）。その後プロセス４２０はアド・ホックＳＭＳとしてアド・ホックモード通信を開始し（ブロック６７５）、その後終了する。
【００３８】
動作モードが自動である場合、プロセス４２０はサーチ期間中にＳＭＳをサーチする（ブロック６４５）。サーチ期間はタイマーによって設定される。次にプロセス４２０はＳＭＳがサーチ期間中に発見されるかを判定する（ブロック６５０）。発見されない場合、プロセス４２０はブロック６７０に進む。そうでない場合、プロセス４２０はユーザの選択のために発見された全ＳＭＳをディスプレイする（ブロック６５５）。次にプロセス４２０はＳＭＳをユーザが選択することを許可する（ブロック６６０）。その後プロセス４２０は選択されたＳＭＳとアド・ホックモード通信を開始する（ブロック６６５）。その後プロセス４２０は終了する。
【００３９】
図７は本発明の一実施例による簡素化されたフレーム構成７００を説明するダイアグラムである。簡素化されたフレーム構成７００はＤＬ  ＰＨＹ  ＰＤＵ７１０、送信／受信移行ギャップ（ＴＴＧ）７１５、初期レンジング間隔ＩＲＮＧ７２０、ＰＵＬ  ＰＨＹ  ＰＤＵメッセージ７３０１から７３０Ｐおよび送信／受信移行ギャップ（ＲＴＧ）７４０を含む。
【００４０】
ＤＬ  ＰＨＹ  ＰＤＵメッセージ７１０はプレアンブル７５２、フレーム制御ヘッダ（ＦＣＨ）７５４およびＤＬバースト７５６を含む。ＦＣＨ７５４はアド・ホックネットワーク１４０におけるＤＬバースト７５６とＭＳの数番(number)を記述するために使用される。この情報は後述する通り時間オフセットを計算するために使用される。ＦＣＨ７５４は、ＵＣＤメッセージが省略されるようにＵＣＤメッセージの代りに各ＵＬバーストの変調タイプを格納するためにも使用される。ＦＣＨ７５４はＤＣＤメッセージが省略されるようにＤＬバーストの変調タイプを格納するためにも使用される。ＤＬバースト７５６はブロードキャストメッセージ７６２、Ｎ個のＭＡＣ  ＰＤＵ１からＭＡＣ  ＰＤＵ  Ｎ７６４１から７６４Ｎおよびパッディング７６６を含む。ＤＬバースト７５６は全てのＤＬ  ＭＡＣ  ＰＤＵメッセージをパックする。これらのメッセージファイルは後述する通りアド・ホックモード通信のために簡素化される。
【００４１】
ＵＬ  ＰＨＹ  ＰＤＵ７３０ｊはプレアンブル７７２、ＵＬバースト７７４およびＳＳ分離ギャップ（ＳＳＳＧ）７７６を含む。レンジングプロセスは、夫々異なるＭＳによって送信されるＵＬ  ＰＨＹ  ＰＤＵメッセージ間で衝突を引き起こす伝搬遅延効果を削除するために十分長いＵＬ  ＰＨＹ  ＰＤＵ７３０ｊにＵＬバースト間隔を割り当てることにより省略される。ＳＭＳ  ＰＨＹはＵＬ  ＰＨＹ  ＰＤＵ７３０ｊのプレアンブル７７２を頭に追加（プリペンド）(pre-pending)することにより、各スケジュールされたＵＬバースト開始時間の正確な境界にたとえ達しなくても、ＵＬ  ＰＨＹ  ＰＤＵを同期化する。プレアンブル７７２は、レンジングプロセス省略にも必要とされるタイミング、周波数、電力オフセットなどをＳＭＳが検出するために十分長い。
【００４２】
図８Ａは本発明の一実施例によるもう１つのＭＳと通信するための、図４に図示されるプロセス４３０を説明するフローチャートである。
【００４３】
開始すると、プロセス４３０はブロック８２０、８３０、８４０または８５０におけるいくつかの簡素化タスクのうち少なくとも１つを実行する。これらの簡素化タスクはアド・ホックネットワーク１４０においてＭＳによって使用されるブロードバンド無線標準（例えばＩＥＥＥ８０２．１６）の簡素化された通信プロトコルを提供する。プロセス４３０は初期レンジング（ブロック８２０）、ブロードキャスト管理メッセージ（ブロック８３０）、ネットワークエントリー（８４０）または帯域幅割り当ておよびスケジューリング（ブロック８５０）を簡素化する。プロセス４３０はその後終了する。
【００４４】
図８Ｂは本発明の一実施例によるレンジングを簡素化するための、図８Ａに図示されるプロセス８２０を説明するフローチャートである。
【００４５】
開始すると、プロセス８２０はブロック８２２および８２４における動作またはアクションの少なくとも１つを実行する。プロセス８２０はそれぞれ異なるＭＳから送信されるＵＬ  ＰＨＹ  ＰＤＵ間の衝突を回避するために十分長いＵＬバースト間隔を割り当てる（ブロック８２２）。プロセス８２０はＳＭＳによるＵＬ  ＰＨＹ  ＰＤＵを検出して復号することを容易にするためにＵＬ  ＰＨＹ  ＰＤＵメッセージの長いプレアンブルをプリペンドする（ブロック８２４）。プロセス８２０はその後終了する。
【００４６】
図８Ｃは本発明の一実施例によるブロードキャスト管理メッセージを簡素化するための、図８Ａに図示されるプロセス８３０を説明するフローチャートである。ＩＥＥＥ８０２．１６標準はＤＬメディアアクセスプロトコル（ＤＬ  ＭＡＰ）、ＵＬ  ＭＡＰ、ダウンリンクチャネルディスクリプタ（ＤＣＤ）およびアップリンクチャネルディスクリプタ（ＵＤＣ）メッセージを導入する。ＤＬ  ＭＡＰはＤＬバーストの情報を符号化することを含み、ＵＬ  ＭＡＰはＵＬバーストの情報を符号化すること含む。ＤＣＤおよびＵＣＤはそれぞれダウンリンクおよびアップリンクチャネル情報を含む。それらのブロードキャスト管理メッセージの送信はアド・ホックモード通信において必要とされず、簡素化または省略されてもよいＢＳ自身の機能である。
【００４７】
開始すると、プロセス８３０はブロック８３２、８３４、８３６および８３８における動作またはアクションのうち少なくとも１つを実行する。プロセス８３０は全ＤＬ  ＭＡＣ  ＰＤＵメッセージを単一のＤＬバーストにパッキングすることによりＤＬ  ＭＡＰメッセージを省略する（ブロック８３２）。これは図７に図示される。単一のＤＬバースト７５６（図７）はアド・ホックネットワーク１４０（図１）におけるＭＳのブロードキャストメッセージ７６２およびユニキャストメッセージを含む。
【００４８】
プロセス８３０は、アド・ホックネットワーク中のＭＳの数番および基礎ＣＩＤ(basic CID)を用いてＵＬバーストの時間オフセットを計算することにより、ＵＬ  ＭＡＰメッセージを省略する（ブロック８３４）。ＵＬ  ＭＡＰは、ダウンリンクおよびアップリンクの境界を教えるＵＬ開始時間だけでなく、各ＵＬバーストのオフセットおよび長さを特定する。１コマずつ変更せず、アド・ホックネットワーク１４０の各ステーションに周知である場合、ＵＬ開始時間情報は必要とされない。アド・ホックモードにおいて動作しているＳＭＳおよび全てのＭＳは、図７に示される通り、ＵＬ開始時間の固定された既定値、ＴＴＧ７１５、ＩＲＮＧ７２０およびＲＴＧ７４０を有する。ＭＳは下記パラメータ：すなわち（１）ＦＣＨ７５４（図７）において設定されるアド・ホックネットワーク１４０におけるＭＳの数番、を使用してそれ自身に割り当てられたＵＬバーストの時間オフセットを計算する。ＦＣＨ７５４は４までの後に続くＤＬバーストを記載するためのスペースを有し、そのうち１つはＤＬバースト１  ７５６を記載するために使用され、その他のフィールドはＭＳの数番を記載するために使用される。ＭＳは全ＵＬバースト部分をＭＳの数番；すなわち（２）ＳＭＳによって送信される簡素化されたＩＲＮＧ−ＲＳＰ（初期レンジング応答）に含まれる基礎ＣＩＤ、に分割することによって各ＵＬバーストの時間オフセットを知る。ＭＳの基礎ＣＩＤが１の場合、送信用に第１のＵＬバーストを使用する。
【００４９】
プロセス８３０はＦＣＨの変調情報を含めることによってＵＣＤメッセージを省略する（ブロック８３６）。ＵＣＤメッセージは、各ＵＬバーストの変調タイプといくつかのチャネル情報を通知するために使用されるＵＬバーストプロファイルを含む。ＳＭＳはＵＣＤメッセージをブロードキャストする必要をなくすためにＦＣＨ７５４（図７）の各あるいは全ＵＬバーストの変調タイプを含む。
【００５０】
プロセス８３０はＤＬバーストプロファイル、フレーム期間コード、送信／受信移行ギャップ（ＴＴＧ）および受信／送信移行ギャップ（ＲＴＧ）を排除することによりＤＣＤメッセージを単純化する（ブロック８３８）。ＤＣＤメッセージは各ＤＬバーストの変調タイプおよびいくつかのチャネル情報を通知するために使用されるＤＬバーストプロファイルを含む。ＤＬバーストの変調タイプはＦＣＨ７５４（図７）に記載されているので、ＳＭＳはＤＬバーストプロファイルを排除してもよい。それらの値はアド・ホックモードにおいて既定値として設定されるので、ＳＭＳはフレーム期間コード、ＴＴＧ７１５、ＲＴＧ７４０を排除してもよい。ＳＭＳはまたＤＣＤメッセージを簡素化するために全ての他のフィールドを排除するが、ＩＥＥＥ８０２．１６標準において定義されない「ＳＭＳネーム」フィールドを含む。ＳＭＳネームはユーザの利便性のためにスキャンされたＳＭＳのリストをＭＳがディスプレイするために使用される。プロセス８２０はその後終了する。
【００５１】
図８Ｄは本発明の一実施例によるネットワークエントリーを簡素化するための、図８Ａに図示されるプロセス８４０を説明するフローチャートである。初期化プロセス中に、ＩＥＥＥ８０２．１６標準に従った多くのステージがある。ＢＳは決定を行い、応答メッセージを確立し、要求毎にそれを送信する。これらのタスクはアド・ホックモード通信において必要ではなく、従って簡素化される。
【００５２】
開始すると、プロセス８４０はブロック８４１、８４２、８４３、８４４、８４５、８４６および８４７における動作またはアクションのうち少なくとも１つを実行する。これらの動作はアド・ホックモード通信のネットワークエントリー手順を簡素化する。
【００５３】
プロセス８４０はフレーム期間および周期性プレフィックス（ＣＰ）インデックスの固定された既定値を使用する（ブロック８４１）。固定された既定値を使用することにより、ＭＳはサーチまたはスキャンフェーズ中の試行結合(trial combinations)の数を著しく削減する。
【００５４】
プロセス８４０は初期レンジング応答メッセージの電力、タイミングおよび周波数オフセット情報を排除する（ブロック８４２）。先に説明した通り、基礎ＣＩＤはアド・ホックネットワーク１４０（図１）においてＭＳを識別するために含まれるが、それらのデータはＩＲＮＧメッセージにおいて排除されてもよい。
【００５５】
プロセス８４０はアド・ホックネットワークにおいてＭＳを識別するために基礎結合ＩＤ（ＣＩＤ）を含む（ブロック８４３）。ＩＲＮＧはユーザによって設定されるＭＳネームを含む。ＭＳネームはＩＥＥＥ８０２．１６標準において定義されない。それはユーザの利便性のために通信ＭＳのリストをＳＭＳがディスプレイするために使用される。
【００５６】
プロセス８４０は自動繰り返し要求(automatic repeat request)（ＡＲＱ）モード、断片化(fragmentation)モードおよびパッキング(packing)モードの固定された既定値を使用することによって基礎容量交渉をスキップする（ブロック８４４）。
【００５７】
プロセス８４０は加入者局（ＳＳ）認証および登録をスキップする（ブロック８４５）。アド・ホックネットワーク１４０（図１）におけるＳＭＳおよび全てのＭＳはプライベートキー管理（ＰＫＭ）プロトコルを使用しない。ペイロード暗号化キーおよび暗号化アルゴリズムはユーザによって手動で設定され、またはペイロードはユーザがペイロード暗号化モードをオンしない限り暗号化されない。
【００５８】
プロセス８４０はブロードバンド無線標準において定義されるようにオプションのプロセスをスキップする（ブロック８４６）。オプションのプロセスはインターネットプロトコル（ＩＰ）接続性を確立すること、時刻を確立すること、および動作パラメータを送信することのうち少なくとも１つを含む。アド・ホックネットワークにおけるＳＭＳおよびＭＳは、ＩＰアドレスの最も重要でないバイトが基礎ＣＩＤから引き出される、手動ユーザ設定ＩＰアドレスまたは自動生成静止ＩＰアドレスを使用する。
【００５９】
プロセス８４０は基礎ＣＩＤによって数が決められる単一接続を確立する（ブロック８４７）。ＩＥＥＥ８０２．１６標準において、ＭＳは、多くのパラメータによって説明されまたネットワークトラフィックをスケジュールするためにＢＳに用いられるサービスの質（ＱｏＳ）を提供するために、複数の論理接続を有する。それらはアド・ホックネットワークにおいて必要でない。アド・ホックモードで動作しているＭＳはただ１つの接続を使用する。この単一接続は基礎ＣＩＤによってその数が決められる。この接続は管理メッセージだけでなく全てのタイプのデータストリームを送信および受信する。
【００６０】
プロセス８４０は上述の１つ以上の簡素化を実行する。プロセス８４０はその後終了する。
【００６１】
図８Ｅは本発明の一実施例による帯域幅割り当ておよびスケジューリングを簡素化するための図８Ａに示されるプロセス８５０を説明するフローチャートである。
【００６２】
開始すると、プロセス８５０は既定値によりアンソリシテッドグラントサービス(unsolicited grant service)（ＵＧＳ）への接続のスケジューリングタイプを設定する（ブロック８５２）。ＩＥＥＥ８０２．１６標準はＵＧＳ、リアルタイムポーリングサービス（ｒｔＰＳ）、非リアルタイムポーリングサービス（ｎｒｔＰＳ）、ベストエフォート（ＢＥ）などのようないくつかのタイプのスケジューリング方法を定義する。ＢＳはＵＬサブフレームを割り当てるために各接続タイプを参照する。またＢＳはＭＳからの帯域幅要求メッセージを受信し、要求された量を抽出し、要求された接続の送信ヒストリーおよびＱｏＳパラメータを参照することによってどれくらい多くの帯域幅が接続に割り当てられるべきかを決定する。これらの動作はアド・ホックモード通信においては必要とされない。アド・ホックネットワークにおいて、ＳＭＳおよびＭＳは上述したように単一の基礎接続のみを使用する。接続のスケジューリングタイプは既定値によってＵＧＳに設定される。その後プロセス８５０は終了する。
【００６３】
本発明の一実施例の要素はハードウエア、ファームウエア、ソフトウエアまたはそれらの組み合わせによって実施される。ハードウエアという用語は一般的に電子、電磁気、光学、電子光学、機械、電子機械パーツなどのような物理的構成を有する素子を意味する。ソフトウエアという用語は一般的に論理構成、方法、手順、プログラム、ルーチン、プロセス、アルゴリズム、公式、関数、数式などを意味する。ファームウエアという用語は一般的に、ハードウエア構成（例えばフラッシュメモリ、ＲＯＭ、ＥＰＲＯＭ）において実施または内蔵される論理構成、方法、手順、プログラム、ルーチン、プロセス、アルゴリズム、公式、関数、数式などを意味する。ファームウエアの例はマイクロコード、書きこみ可能な制御記憶装置、マイクロプログラムされた構成を含む。ソフトウエアまたはファームウエアにおいて実施されると、本発明の実施例の素子は本質的に必要なタスクを実行するためのコードセグメントである。ソフトウエア／ファームウエアは本発明の一実施例に記載の動作を実行するための実際のコード、または動作をエミュレートあるいはシミュレートするコードである。プログラムまたはコードセグメントはプロセッサあるいは機械アクセス可能な媒体に格納されることができ、または送信媒体を介して、キャリア波に内蔵されるコンピュータデータ信号すなわちキャリアによって変調される信号によって送信されることができる。「プロセッサ可読またはアクセス可能な媒体」あるいは「機械可読またはアクセス可能な媒体」は情報を格納、送信または転送することができる任意の媒体を含む。プロセッサ可読または機械アクセス可能な媒体の例は電子回路、半導体メモリ装置、読み出し専用メモリ（ＲＯＭ）、フラッシュメモリ、消去可能プログラム可能なＲＯＭ（ＥＰＲＯＭ）、フロッピー（登録商標）ディスケット、コンパクトディスク（ＣＤ）ＲＯＭ，光学ディスク、ハードディスク、ファイバ光学媒体、無線周波数（ＲＦ）リンクなどを含む。コンピュータデータ信号は電子ネットワークチャネル、光学ファイバ、空気、電磁気、ＲＦリンクなどのような送信媒体を介して伝播する信号を含む。コードセグメントはインターネット、イントラネットなどのようなコンピュータネットワークを介してダウンロードされる。機械アクセス可能な媒体は製造物に内蔵される。機械アクセス可能な媒体は、機械によってアクセスされると上述の動作またはアクションを機械に実行させる情報またはデータを含む。機械アクセス可能な媒体はそこに内蔵されるプログラムコードも含む。プログラムコードは上述の動作を実行するための機械可読コードを含む。「情報」または「データ」という用語はここでは機械可読の目的で符号化された任意のタイプの情報を意味する。従ってそれはプログラム、コード、データ、ファイルなどを含む。
【００６４】
本発明の実施例の全てまたは一部はハードウエア、ソフトウエアまたはファームウエア、またはそれらの任意の組み合わせによって実施される。ハードウエア、ソフトウエアまたはファームウエア素子は互いに結合された、いくつかのモジュールを有する。ハードウエアモジュールは機械的、電子的、光学的、電磁的または任意の物理的接続によって他のモジュールに結合される。ソフトウエアモジュールは関数、手順、方法、サブプログラムまたはサブルーチンコール、ジャンプ、リンク、パラメータ、変数およびアーギュメントパッシング、ファンクションリターンなどによって他のモジュールに結合される。ソフトウエアモジュールは変数、パラメータ、アーギュメント、ポインタなどを受信するため、および／または結果、最新の変数、ポインタなどを生成またはパスするために他のモジュールと結合される。ファームウエアモジュールは上記ハードウエアおよびソフトウエア結合方法の任意の組み合わせによって他のモジュールと結合される。ハードウエア、ソフトウエアまたはファームウエアモジュールは他のハードウエア、ソフトウエアまたはファームウエアモジュールのうち任意の１つと結合される。モジュールはさらにプラットフォームを動作している操作システムと相互作用するためのソフトウエアドライバまたはインターフェースである。モジュールはさらに、データを構成、設定、初期化してハードウエア装置へ送信およびハードウエア装置から受信するためのハードウエアドライバである。装置はハードウエア、ソフトウエアおよびファームウエアモジュールの任意の組み合わせを含む。
【００６５】
本発明がいくつかの実施例の観点で説明されてきたが、本発明は記載された実施例に限定されず、添付の請求項の精神および範囲内で改良および変更して実施可能であることを当業者は認識するであろう。従って、記述は限定的ではなく、例示的であるとみなされるべきである。
【図１】
2009540630.tif 000003
【図２】
2009540630.tif 000004
【図３】
2009540630.tif 000005
【図４】
2009540630.tif 000006
【図５】
2009540630.tif 000007
【図６】
2009540630.tif 000008
【図７】
2009540630.tif 000009
【図８Ａ】
2009540630.tif 000010
【図８Ｂ】
2009540630.tif 000011
【図８Ｃ】
2009540630.tif 000012
【図８Ｄ】
2009540630.tif 000013
【図８Ｅ】
2009540630.tif 000014
【国際調査報告】
2009540630.tif 000015
2009540630.tif 000016